(57)【要約】【課題】温度センサを設けることなく熱電変換素子の接続を適切に切り替えることができる携帯機器を提供することである。【解決手段】本発明にかかる携帯機器は、表示部３と、表示部３と近接するように設けられた熱電変換素子１０とを備える第１のユニットと、使用時に第１のユニットに対して伸長し、収納時に第１のユニットと重畳する第２のユニットと、表示部３のオン状態・オフ状態の制御に関連する信号に基づき熱電変換素子１０から二次電池へ供給される電力の極性を切り替える制御ユニット１１と、を備える。制御ユニット１１は、表示部３がオン状態である場合の熱電変換素子と二次電池１２との接続の極性と、表示部３がオフ状態である場合の熱電変換素子１１と二次電池１２との接続の極性と、を切り替える。【選択図】図１
2011250538.tif 000002
【特許請求の範囲】
【請求項１】
表示部と、当該表示部と近接するように設けられた熱電変換素子とを備える第１のユニットと、
使用時に前記第１のユニットに対して伸長し、収納時に前記第１のユニットと重畳する第２のユニットと、
前記表示部のオン状態・オフ状態の制御に関連する信号に基づき前記熱電変換素子から二次電池へ供給される電力の極性を切り替える制御ユニットと、を備え、
前記制御ユニットは、前記表示部がオン状態である場合の前記熱電変換素子と前記二次電池との接続の極性と、前記表示部がオフ状態である場合の前記熱電変換素子と前記二次電池との接続の極性と、を切り替える、
携帯機器。
【請求項２】
前記熱電変換素子は、前記表示部と、前記第１のユニットの前記表示部が形成されている面と反対側の面との間に、前記表示部が延びる方向と平行になるように設けられている、請求項１に記載の携帯機器。
【請求項３】
前記熱電変換素子は、前記第１のユニットに対して前記第２のユニットが伸長し前記表示部がオン状態である場合、前記表示部から放出される熱を利用して発電し、
前記第１のユニットに対して前記第２のユニットが重畳し前記表示部がオフ状態である場合、外部環境の熱を利用して発電する、請求項１または２に記載の携帯機器。
【請求項４】
前記表示部のオン状態・オフ状態の制御に関連する信号は、前記第１のユニットと前記第２のユニットの伸長状態・収納状態を検知するセンサの信号である、請求項１乃至３のいずれか一項に記載の携帯機器。
【請求項５】
前記制御ユニットは、
前記熱電変換素子と前記二次電池との接続の極性を切り替える切り替え回路と、
前記熱電変換素子から出力された電力を昇圧するＤＣＤＣコンバータと、
前記切り替え回路を制御する制御回路と、を備える、
請求項１乃至４のいずれか一項に記載の携帯機器。
【請求項６】
前記第１のユニットの一端と前記第２のユニットの一端は互いに折りたたみ可能に接続されている、請求項１乃至５のいずれか一項に記載の携帯機器。
【請求項７】
前記第１のユニットは前記第２のユニットに対してスライドな構成である、請求項１乃至５のいずれか一項に記載の携帯機器。
【請求項８】
前記第２のユニットは、収納時に前記第１のユニットが備える熱電変換素子と接触する第１の面と当該第１の面と対向する第２の面とを有すると共に、収納時に前記第２の面から前記第１の面へ熱を伝える熱伝導部材を有する、請求項７に記載の携帯機器。
【請求項９】
前記熱伝導部材は一端が前記第１の面において前記熱電変換素子と接触し、他端が前記第２の面において外部に露出されている、請求項８に記載の携帯機器。
【請求項１０】
携帯機器の制御方法であって、
前記携帯機器は、表示部と、当該表示部と近接するように設けられた熱電変換素子とを備える第１のユニットと、使用時に前記第１のユニットに対して伸長し、収納時に前記第１のユニットと重畳する第２のユニットと、を備え、
前記表示部のオン状態・オフ状態の制御に関連する信号に基づき、前記表示部がオン状態である場合の前記熱電変換素子と前記二次電池との接続の極性と、前記表示部がオフ状態である場合の前記熱電変換素子と前記二次電池との接続の極性と、を切り替える、
携帯機器の制御方法。
【発明の詳細な説明】
【技術分野】
【０００１】
本発明は携帯機器および携帯機器の制御方法に関し、特に表示部から放出される熱を用いて発電する熱電変換素子を備える携帯機器および携帯機器の制御方法に関する。
【背景技術】
【０００２】
近年、携帯機器の多機能化により携帯機器が消費する電力が増加している。特許文献１にはこのような消費電力の増加に対応する技術が開示されている。
【０００３】
特許文献１にかかる携帯機器は、電気を蓄積するための電池、熱電変換素子、電子部品側の導体板の温度を測定するための内部温度センサ、外部側の導体板の温度を測定するための外部温度センサ、熱電変換素子と電池の正極および負極をそれぞれ接続するための切り替えスイッチ、制御回路を備える。
【０００４】
熱電変換素子は、対向する２枚の導体板のうち一方の導体板が電子部品側に面し、かつ他方の導体板が外部側に面し、２枚の導体板間に温度差が生じるとこれら２枚の導体板間に起電力を発生する。制御回路は、内部温度センサおよび外部温度センサの温度を一定の周期で比較し、内部温度センサで測定した温度と外部温度センサで測定した温度に応じて、熱電変換素子と電池の極種が一致するように切り替えている。特許文献１に開示されている技術により、外部から電池を一旦充電した後の使用可能な時間を長くすることができる。
【０００５】
また、特許文献２には、内部で発生する熱を有効に利用することができると共に、低コスト化も図れる画像処理装置に関する技術が開示されている。特許文献２にかかる技術では、ＣＰＵのマイクロプロセッサで発生する熱を、ペルチェ素子にて電気エネルギに変換し、変換した電気エネルギにて二次電池を充電する。省エネルギモードになっていて電源回路がオフとなっている場合に、二次電池が放電して、その電力がＲＡＭ、画像メモリ及びサブＣＰＵへ供給される。
【先行技術文献】
【特許文献】
【０００６】
【特許文献１】特開２００５−２６９７７７号公報
【特許文献２】特開２００２−６４９４１号公報
【発明の概要】
【発明が解決しようとする課題】
【０００７】
上記特許文献１にかかる技術では、携帯機器に内部温度センサと外部温度センサを設け、これらの温度センサを用いて携帯機器内部の温度と外部の温度を測定している。そして、内部温度センサで測定した温度と外部温度センサで測定した温度に応じて、熱電変換素子と電池の極種が一致するように切り替えている。このため、特許文献１にかかる携帯機器では温度センサを２つ設ける必要があり、使用する部品の数が増加するという問題がある。また内部温度センサで測定した温度と外部温度センサで測定した温度に応じて切り替えスイッチを制御しているため、制御が複雑になるという問題がある。
【０００８】
上記課題に鑑み本発明の目的は、温度センサを設けることなく熱電変換素子の接続を適切に切り替えることができる携帯機器および携帯機器の制御方法を提供することである。
【課題を解決するための手段】
【０００９】
本発明にかかる携帯機器は、表示部と、当該表示部と近接するように設けられた熱電変換素子とを備える第１のユニットと、使用時に前記第１のユニットに対して伸長し、収納時に前記第１のユニットと重畳する第２のユニットと、前記表示部のオン状態・オフ状態の制御に関連する信号に基づき前記熱電変換素子から二次電池へ供給される電力の極性を切り替える制御ユニットと、を備え、前記制御ユニットは、前記表示部がオン状態である場合の前記熱電変換素子と前記二次電池との接続の極性と、前記表示部がオフ状態である場合の前記熱電変換素子と前記二次電池との接続の極性と、を切り替える。
【００１０】
本発明にかかる、表示部と、当該表示部と近接するように設けられた熱電変換素子とを備える第１のユニットと、使用時に前記第１のユニットに対して伸長し、収納時に前記第１のユニットと重畳する第２のユニットと、を備える携帯機器の制御方法は、前記表示部のオン状態・オフ状態の制御に関連する信号に基づき、前記表示部がオン状態である場合の前記熱電変換素子と前記二次電池との接続の極性と、前記表示部がオフ状態である場合の前記熱電変換素子と前記二次電池との接続の極性と、を切り替える、携帯機器の制御方法である。
【発明の効果】
【００１１】
本発明により、温度センサを設けることなく熱電変換素子の接続を適切に切り替えることができる携帯機器および携帯機器の制御方法を提供することができる。
【図面の簡単な説明】
【００１２】
【図１】実施の形態１にかかる携帯機器を説明するための図である。（ａ）は携帯機器の正面図（使用時）、（ｂ）は（ａ）のＡ−Ａにおける断面図（使用時）、（ｃ）は（ａ）のＡ−Ａにおける断面図（収納時）である。
【図２】実施の形態１にかかる携帯機器の制御ユニットを説明するためのブロック図である。
【図３】実施の形態１にかかる携帯機器の動作を説明するためのフローチャートである。
【図４】実施の形態２にかかる携帯機器を説明するための図である。（ａ）は携帯機器の正面図（使用時）、（ｂ）は（ａ）のＢ−Ｂにおける断面図（使用時）、（ｃ）は（ａ）のＢ−Ｂにおける断面図（収納時）である。
【発明を実施するための形態】
【００１３】
実施の形態１
以下、図面を参照して本発明の実施の形態について説明する。図１（ａ）は本実施の形態にかかる携帯機器の使用時における正面図である。また、図１（ｂ）は図１（ａ）に示す携帯機器のＡ−Ａにおける断面図である。図１（ｃ）は携帯機器の収納時における断面図である。
【００１４】
本実施の形態にかかる携帯機器は、上部ユニット（第１のユニット）１と下部ユニット（第２のユニット）２を有する。上部ユニット１には表示部３が設けられている。表示部３は例えば液晶ディスプレイ、有機ＥＬディスプレイ等である。また、図１（ｂ）に示すように、本実施の形態にかかる携帯機器は表示部３と近接するように熱電変換素子（ペルチェ素子）１０が設けられている。ここで、近接するようにとは表示部３からペルチェ素子１０に熱が伝わる程度の距離を示しており、この場合は表示部３とペルチェ素子１０とが接触している場合も含む。
【００１５】
本実施の形態にかかる携帯機器では、携帯機器の使用時において表示部３から発生する熱を利用してペルチェ素子１０が発電するので、表示部３とペルチェ素子１０との距離が近いほど発電効率が向上する。なお、表示部３から放射される熱をペルチェ素子１０へ効率よく伝えるために、表示部３とペルチェ素子１０との間に熱伝導材料を設けてもよい。
【００１６】
一方、ペルチェ素子１０の表示部３と逆側（つまり、図１（ｂ）のペルチェ素子１０の図面右側。以下、外側と表現する）は、例えば上部ユニット１のケースと接するように設けてもよく、また、ペルチェ素子１０が直接外部に露出されるように設けてもよい。ペルチェ素子１０は、ペルチェ素子１０の表示部３側と外側との温度差が大きいほど効率よく発電するため、ペルチェ素子１０が直接外部に露出されているほうが発電効率が向上する。一方、ペルチェ素子１０を直接外部に露出すると衝撃等によりペルチェ素子１０が破損するおそれがある。このため、例えば熱伝導率が高い材料でペルチェ素子１０を保護してもよい。また、ペルチェ素子１０に直接塗装等することで装飾してもよい。
【００１７】
下部ユニット２は、操作部４、制御ユニット１１、二次電池１２を有する。操作部４は操作用のボタン等を備える。また、制御ユニット１１はペルチェ素子１０と二次電池１２と接続されている。上部ユニット１の一端と下部ユニット２の一端は接続部５において互いに折りたたみ可能に接続されている。つまり、図１（ｂ）に示すように、上部ユニット１は使用時に下部ユニット２に対して伸長する。また、図１（ｃ）に示すように、収納時に上部ユニット１と下部ユニット２は、上部ユニットの主面からみて重畳するように折りたたまれる。
【００１８】
ここで、ペルチェ素子１０について説明する。ペルチェ素子１０はゼーベック効果を利用して熱を電気に変換する熱電変換素子である。ペルチェ素子１０は異種の導体板が２枚張り合わされた構成である。２枚の導体板のうち一方の導体板の温度が他方の導体板よりも高くなると、導体板間に起電力が生じる。そのため、起電力の生じた熱電変換素子の２枚の導体板のそれぞれに配線をつなげば電気を取り出すことが可能となる。なお、ペルチェ素子１０は、異種の導体板を２枚張り合わせたものに限らず、２枚の導体板間に半導体を挟んだものであってもよい。なお、本実施の形態では例として導体板を金属板として説明する。
【００１９】
また、本実施の形態のペルチェ素子１０は、表示部３側の金属板の温度が外側の金属板の温度よりも高くなると、表示部３側の金属板を正極とする起電力を生じるものとし、反対に表示部３側の金属板の温度が外側の金属板の温度よりも低くなると外側の金属板を正極とする起電力を生じるものとする。
【００２０】
図１（ｂ）に示すように、携帯機器の使用時において表示部３がオン状態となるため表示部３が発熱する。よって、ペルチェ素子１０の表示部３側の温度が上昇する。一方、ペルチェ素子１０の外側は外部環境と近い温度であるため、ペルチェ素子１０の両側には温度差が生じる。したがって、携帯機器の使用時では表示部３が高熱源体、外部環境が低熱源体として働き、この場合はペルチェ素子１０の表示部３側の金属板を正極とする起電力が生じる。
【００２１】
一方、図１（ｃ）に示すように、携帯機器の収納時において表示部３はオフ状態となるため表示部３は発熱しない。また、ペルチェ素子１０の外側は、例えば使用者のポケット等に収納されると人体の熱などにより温度が上昇する。このとき、ペルチェ素子１０の両側には温度差が生じる。したがって、携帯機器の収納時では表示部３が低熱源体、外部環境が高熱源体として働き、この場合はペルチェ素子１０の外側の金属板を正極とする起電力が生じる。なお、ペルチェ素子１０の外側は、例えば気温が高い日に携帯機器を屋外に置いたり、日光が当たる場所においたり、車の中など温度が上昇する場所においたりすることでも温めることができる。
【００２２】
図２は、本実施の形態にかかる携帯機器の制御ユニットを説明するためのブロック図である。図２に示すように、ペルチェ素子１０は表示部３側の金属板１０_１と外側の金属板１０_２とを有する。ペルチェ素子１０の表示部３側の金属板１０_１と外側の金属板１０_２はそれぞれ、切り替え回路１３に接続されている。切り替え回路１３は、制御回路１５からの切り替え回路制御信号３１に応じて、ペルチェ素子１０の表示部３側の金属板１０_１からの出力と外側の金属板１０_２からの出力を、そのまま、または反転させてＤＣＤＣコンバータ１４へ出力する。
【００２３】
ＤＣＤＣコンバータ１４は正極入力（＋）および負極入力（−）を備える。ＤＣＤＣコンバータ１４は、切り替え回路１３から出力された電圧を昇圧し、昇圧後の電力を二次電池１２に出力する。ＤＣＤＣコンバータ１４の正極（＋）は二次電池１２の正極（＋）に接続され、ＤＣＤＣコンバータ１４の負極（−）は二次電池１２の負極（−）に接続されている。二次電池１２は携帯機器本体１６のメイン回路に接続され、携帯機器本体１６に電力を供給する。
【００２４】
また、制御回路１５はペルチェ素子１０の起電力（ＤＣＤＣコンバータ１４から出力される電圧に対応する）をモニターし、二次電池１２の充電を制御する。例えば、制御回路１５は、ペルチェ素子１０の起電力が所定の値以上の場合に、二次電池１２を充電する。また、制御回路１５は二次電池１２の充電状態をモニターし、二次電池１２が満充電の場合は二次電池１２が充電されないように、例えばＤＣＤＣコンバータ１４と二次電池１４の接続を切断してもよい。この場合、例えば制御回路１５が切り替え回路１３を制御し、ペルチェ素子１０とＤＣＤＣコンバータ１４との接続を切断してもよい。
【００２５】
また、制御回路１５は携帯機器の表示部３のオン状態・オフ状態の制御に関連する信号を入力し、この信号に応じて切り替え回路１３を制御する。このように、表示部３のオン状態・オフ状態の制御に関連する信号を用いることで、表示部３のオン状態・オフ状態に連動して切り替え回路１３を制御することができる。
【００２６】
例えば、表示部３のオン状態・オフ状態の制御に関連する信号として、携帯機器の上部ユニット１と下部ユニット２の伸長状態・収納状態を検知するセンサの信号を入力してもよい。表示部３は携帯機器の伸長状態・収納状態に応じてオン状態・オフ状態が切り替わるので、携帯機器の伸長状態・収納状態を検知するセンサの信号を入力することで、表示部３のオン状態・オフ状態に連動して切り替え回路１３を制御することができる。
【００２７】
このように、表示部３のオン状態・オフ状態の制御に関連する信号を用いることで、新たにセンサ等を設置することなく切り替え回路１３を制御することができる。
【００２８】
次に、本実施の形態にかかる携帯機器の動作について具体的に説明する。図３は本実施の形態にかかる携帯機器の動作を説明するためのフローチャートである。
【００２９】
まず、表示部３がオン状態であるか、またはオフ状態であるか判断する（ステップＳ１）。例えば、表示部３の状態は、表示部３のオン状態・オフ状態を制御する信号を用いて判断することができる。
【００３０】
表示部３がオン状態である場合、制御回路１５は、ＤＣＤＣコンバータ１４の正極入力（＋）とペルチェ素子１０の表示部３側の金属板１０_１とが接続されるように、またＤＣＤＣコンバータ１４の負極入力（−）とペルチェ素子１０の外側の金属板１０_２とが接続されるように、切り替え回路１３を制御する（ステップＳ２）。
【００３１】
一方、表示部３がオフ状態である場合、制御回路１５は、ＤＣＤＣコンバータ１４の正極入力（＋）とペルチェ素子１０の外側の金属板１０_２とが接続されるように、またＤＣＤＣコンバータ１４の負極入力（−）とペルチェ素子１０の表示部３側の金属板１０_１とが接続されるように、切り替え回路１３を制御する（ステップＳ３）。
【００３２】
そして、制御回路１５が上記のように切り替え回路１３を制御した後、ＤＣＤＣコンバータ１４は、切り替え回路１３から出力された電圧を昇圧し、昇圧後の電力を二次電池１２に出力する。これにより、二次電池１２の充電が開始される（ステップＳ４）。
【００３３】
以上で説明したように、本実施の形態にかかる携帯機器では、ペルチェ素子１０で発電された電力を用いて二次電池１２を充電しているので、携帯機器の連続使用可能時間を長くすることができる。特に本実施の形態にかかる携帯機器では、携帯機器の使用時に表示部３の熱を利用して発電し、また収納時には外部環境の熱を利用して発電することができるので、携帯機器の連続使用可能時間をより長くすることができる。
【００３４】
また、本実施の形態にかかる携帯機器では、表示部３のオン状態・オフ状態の制御に関連する信号を用いて、表示部３のオン状態・オフ状態に連動して切り替え回路１３を制御し、ペルチェ素子１０の各金属板１０_１、１０_２とＤＣＤＣコンバータ１４の正極入力（＋）および負極入力（−）との接続を切り替えている。よって、温度センサを設けることなく熱電変換素子（ペルチェ素子）の接続を適切に切り替えることができる携帯機器を提供することができる。
【００３５】
実施の形態２
以下、図面を参照して本発明の実施の形態について説明する。実施の形態１では折りたたみ式の携帯機器について説明したが、本実施の形態ではスライド式の携帯機器について説明する。なお、実施の形態１にかかる携帯機器と同様の構成部分については同一の符号を付し重複した説明を省略する。
【００３６】
図４（ａ）は本実施の形態にかかる携帯機器の使用時における正面図である。また、図４（ｂ）は図４（ａ）に示す携帯機器のＢ−Ｂにおける断面図である。図４（ｃ）は携帯機器の収納時における断面図である。
【００３７】
本実施の形態にかかる携帯機器は、上部ユニット（第１のユニット）１と下部ユニット（第２のユニット）２を有する。上部ユニット１は下部ユニット２に対して図面上下方向にスライド可能に取り付けられている。つまり、図４（ｂ）に示すように、上部ユニット１は使用時に下部ユニット２に対して伸長する。また、図４（ｃ）に示すように、収納時に上部ユニット１と下部ユニット２は、上部ユニットの主面からみて重畳するように収納される。
【００３８】
図４（ｂ）に示すように、本実施の形態にかかる携帯機器は表示部３と近接するように熱電変換素子（ペルチェ素子）１０が設けられている。ここで、近接するようにとは表示部３からペルチェ素子１０に熱が伝わる程度の距離を示しており、この場合は表示部３とペルチェ素子１０とが接触している場合も含む。
【００３９】
一方、ペルチェ素子１０の表示部３と逆側（つまり、図４（ｂ）のペルチェ素子１０の図面右側。以下、外側と表現する）は、例えば上部ユニット１のケースと接するように設けてもよく、また、ペルチェ素子１０が直接外部に露出されるように設けてもよい。ペルチェ素子１０を直接外部に露出すると衝撃等によりペルチェ素子１０が破損するおそれがあるため、例えば熱伝導率が高い材料でペルチェ素子１０を保護してもよい。また、ペルチェ素子１０に直接塗装等することで装飾してもよい。
【００４０】
下部ユニット２は、操作部４、制御ユニット１１、二次電池１２を有する。図４（ｃ）に示すように、本実施の形態にかかる携帯機器では更に収納時において下部ユニット２の図面右側から図面左側へ熱を伝えるための熱伝導部材２１を備えている。熱伝導部材２１には、例えば熱伝導率が高い金属材料を用いることができる。熱伝導部材２１は、図４（ｃ）に示すように図面右側（第２の面）において外部に露出し、また、図面左側（第１の面）においてペルチェ素子と接するように設けられている。例えば、熱伝導部材２１は下部ユニットの操作部４が備えるボタン等の隙間に設ける。このような構成により、携帯機器の収納時において下部ユニット２の図面右側から、上部ユニット１が備えるペルチェ素子１０へ熱を伝えることができる。
【００４１】
本実施の形態においてもペルチェ素子１０は、表示部３側の金属板の温度が外側の金属板の温度よりも高くなると、表示部３側の金属板を正極とする起電力を生じるものとし、反対に表示部３側の金属板の温度が外側の金属板の温度よりも低くなると外側の金属板を正極とする起電力を生じるものとする。
【００４２】
図４（ｂ）に示すように、携帯機器の使用時において表示部３がオン状態となるため表示部３が発熱する。よって、ペルチェ素子１０の表示部３側の温度が上昇する。一方、ペルチェ素子１０の外側は外部環境と近い温度であるため、ペルチェ素子１０の両側には温度差が生じる。したがって、携帯機器の使用時では表示部３が高熱源体、外部環境が低熱源体として働き、この場合はペルチェ素子１０の表示部３側の金属板を正極とする起電力が生じる。
【００４３】
一方、図４（ｃ）に示すように、携帯機器の収納時において表示部３はオフ状態となるため表示部３は発熱しない。また、下部ユニット２の図面右側は、例えば使用者のポケット等に収納されると人体の熱などにより温度が上昇する。この熱は熱伝導部材２１を介してペルチェ素子１０の外側へ伝達される。このとき、ペルチェ素子１０の両側には温度差が生じる。したがって、携帯機器の収納時では表示部３が低熱源体、外部環境が高熱源体として働き、この場合はペルチェ素子１０の外側の金属板を正極とする起電力が生じる。なお、下部ユニット２の図面右側は、例えば気温が高い日に携帯機器を屋外に置いたり、日光が当たる場所においたり、車の中など温度が上昇する場所においたりすることでも温めることができる。
【００４４】
なお、本実施の形態にかかる携帯機器の制御ユニットの構成は図２で説明した実施の形態１の制御ユニットの構成と同様であり、また本実施の形態にかかる携帯機器の動作も図３で説明した実施の形態１にかかる動作と同様である。
【００４５】
本実施の形態においても、まず、表示部３がオン状態であるか、またはオフ状態であるか判断する（図３のステップＳ１）。例えば、表示部３の状態は、表示部３のオン状態・オフ状態を制御する信号を用いて判断することができる。
【００４６】
表示部３がオン状態である場合、制御回路１５は、ＤＣＤＣコンバータ１４の正極入力（＋）とペルチェ素子１０の表示部３側の金属板１０_１とが接続されるように、またＤＣＤＣコンバータ１４の負極入力（−）とペルチェ素子１０の外側の金属板１０_２とが接続されるように、切り替え回路１３を制御する（ステップＳ２）。
【００４７】
一方、表示部３がオフ状態である場合、制御回路１５は、ＤＣＤＣコンバータ１４の正極入力（＋）とペルチェ素子１０の外側の金属板１０_２とが接続されるように、またＤＣＤＣコンバータ１４の負極入力（−）とペルチェ素子１０の表示部３側の金属板１０_１とが接続されるように、切り替え回路１３を制御する（ステップＳ３）。
【００４８】
そして、制御回路１５が上記のように切り替え回路１３を制御した後、ＤＣＤＣコンバータ１４は、切り替え回路１３から出力された電圧を昇圧し、昇圧後の電力を二次電池１２に出力する。これにより、二次電池１２の充電が開始される（ステップＳ４）。
【００４９】
以上で説明したように、本実施の形態にかかる携帯機器では、ペルチェ素子１０で発電された電力を用いて二次電池１２を充電しているので、携帯機器の連続使用可能時間を長くすることができる。特に本実施の形態にかかる携帯機器では、携帯機器の使用時に表示部３の熱を利用して発電し、また収納時には外部環境の熱を利用して発電することができるので、携帯機器の連続使用可能時間をより長くすることができる。
【００５０】
また、本実施の形態にかかる携帯機器では、表示部３のオン状態・オフ状態の制御に関連する信号を用いて、表示部３のオン状態・オフ状態に連動して切り替え回路１３を制御し、ペルチェ素子１０の各金属板１０_１、１０_２とＤＣＤＣコンバータ１４の正極入力（＋）および負極入力（−）との接続を切り替えている。よって、温度センサを設けることなく熱電変換素子（ペルチェ素子）の接続を適切に切り替えることができる携帯機器を提供することができる。
【００５１】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【符号の説明】
【００５２】
１  上部ユニット（第１のユニット）
２  下部ユニット（第２のユニット）
３  表示部
４  操作部
５  接続部
１０  ペルチェ素子
１１  制御ユニット
１２  二次電池
２１  熱伝導部材
【図１】
2011250538.tif 000003
【図２】
2011250538.tif 000004
【図３】
2011250538.tif 000005
【図４】
2011250538.tif 000006